(57)【要約】【課題】デッキプレートを建造物の躯体構成部材間に架け渡した後にコンクリートを打設してスラブを構築するとき、打設コンクリートの重量を建造物の躯体構成部材に確実に伝達する荷重支持部材を備える鉄筋ユニットの組み立てに際し、自動溶接機等での溶接が可能な鉄筋ユニットを備えるデッキプレートを提供する。【解決手段】デッキプレート１０Ａは、鉄筋ユニット１２を備え、該鉄筋ユニット１２は鉄筋ユニット本体１３と荷重支持部材１４Ａとから構成され、荷重支持部材１４Ａは、一本の金属製棒材２３を全体として山形形状に曲げて形成されている。この山形をした金属製棒材２３からなる荷重支持部材１４Ａは、屈曲部２３ａを上に向けて鉄筋ユニット本体１３の端部に上方から被せるように配置され、金属製棒材２３の各棒状部分と鉄筋ユニット本体１３の各主鉄筋１５，１６との接触部をスポット溶接して固定される。【選択図】図１
2009108657.tif 000002
【特許請求の範囲】
【請求項１】
所定の面積を有する金属ベースと、前記金属ベースの相対向する一対の端縁部間を延びる少なくとも一組の鉄筋ユニットとを備えるデッキプレートにおいて、
前記鉄筋ユニットが、鉄筋ユニット本体と、この鉄筋ユニット本体の端部に取り付けられ、金属ベースの前記端縁部を載置する建造物躯体若しくは形成型枠のいずれかに前記鉄筋ユニットに掛かる荷重を伝達する荷重支持部材とから構成され、
前記鉄筋ユニット本体が、前記金属ベースの前記両端縁部間を延びる複数本の主鉄筋と、少なくとも前記主鉄筋の一部と前記金属ベースとに固着されたラチス筋とからなり、前記荷重支持部材が、一本の金属製棒材を山形に曲げて形成され、山形に曲げられた前記金属製棒材の屈曲部を上に向け、この屈曲部から前記金属ベースの上面に向かって延びる棒状部分が前記金属ベースの前記端縁部から見て左右に位置するように前記鉄筋ユニット本体に組み付けられると共に、前記荷重支持部材の前記屈曲部と前記棒状部分とで接触する前記鉄筋ユニット本体における前記各主鉄筋との接触部が溶接され、山形をした前記荷重支持部材の各下端が、前記金属ベースの前記上面に沿って前記端縁部から外方へ突出するように屈曲して前記建造物躯体若しくは形成型枠のいずれかに載せられる支え部を形成していることを特徴とするデッキプレート。
【請求項２】
複数の前記主鉄筋が、前記金属ベースの前記上面から上方へ離間して前記両縁端部間を延びる１本の第１鉄筋と２本の第２鉄筋とから構成され、これら三本の前記第１鉄筋及び第２鉄筋が前記金属ベースの前記端縁部から見たとき、仮想の三角形の頂点に位置するように、２本の前記第２鉄筋が前記第１鉄筋の両側方で前記第１鉄筋より下方にかつ前記第１鉄筋に沿って配置され、
前記ラチス筋が、前記第１鉄筋の両側部で前記第１鉄筋に沿って配置され、前記第１鉄筋、前記第２鉄筋及び前記金属ベースに固着され、
山形に形成された前記荷重支持部材が、前記屈曲部内に前記第１鉄筋を通すように配置されて該第１鉄筋の周面に外接し、前記屈曲部と前記支え部との間の前記棒状部分がそれぞれ前記第２鉄筋に外接し、これら前記第１鉄筋及び第２鉄筋との接触部が溶接されている請求項１に記載のデッキプレート。
【請求項３】
前記鉄筋ユニットに溶接された前記荷重支持部材が係止部を備え、該係止部が、少なくとも一つの前記支え部の端部から前記金属ベースの前記上面にほぼ垂直な下方向に屈曲して形成され、前記金属ベースの前記端縁部が前記建造物躯体形成型枠に載せられて前記デッキプレートが設置されるとき、前記荷重支持部の前記係止部が前記建造物躯体形成型枠の内面側に掛けられて前記デッキプレートの脱落が防止される請求項１又は２に記載のデッキプレート。
【発明の詳細な説明】
【技術分野】
【０００１】
本発明は、デッキプレートに関し、さらに詳細には建造物等において鉄筋コンクリート製のスラブ（床）を形成する際に用いる鉄筋ユニット付きのデッキプレートに関する。
【背景技術】
【０００２】
例えば、鉄筋コンクリート製建造物又は鉄骨製建造物などの施工において、デッキプレートと称する型枠を横梁のような躯体構成部材の間に架け渡し、デッキプレートの上部にコンクリートを打設してスラブを構築する手法はよく知られている。このようなスラブ構築方法で用いるデッキプレートでは、所定の面積と厚みとを有する薄い鉄板などで形成された金属ベースと、その上部に並列して取り付けられた複数の鉄筋ユニットとが主たる構成要素となっている。デッキプレートは、金属ベースの上部に打設されるコンクリートを支持するのでスラブ形成用の捨て型枠としての機能を有し、同時に形成後のスラブにおける構造体の一部分ともなっている。
【０００３】
従来のデッキプレートには種々のものがあるが、その一例として特許文献１に開示されたものが知られている。このデッキプレートは、金属ベースの上面に複数の鉄筋ユニット（自立型トラス）が取り付けられている。この鉄筋ユニットは、主鉄筋である１本の上弦筋及び２本の下弦筋と、波状に屈曲させた２本のラチス筋とから構成され、上弦筋と下弦筋とが、相互に間隔をあけて並行にかつこれら上弦筋と下弦筋の端部側から見たとき仮想の三角形の各頂点に位置するように配置され、ラチス筋の上側屈曲部に上弦筋を、また下側屈曲部を下弦筋に溶接したものである。
【０００４】
この鉄筋ユニットは、ラチス筋の下側屈曲部が金属ベースの上面に溶接されることにより該金属ベースに取り付けられている。かかるデッキプレートの複数が、例えば、建造物の躯体を構成する横梁のような構成部材間に架け渡して仮設（敷き込み）される。その際、デッキプレートは、鉄筋ユニットが延びる長手方向（便宜的に、配力筋方向という）における相対向する端部が建造物の躯体構成部材に乗せられて架け渡され、隣接するデッキプレートの側部どうしは相互に係止されて連続的に敷き込まれ、その後にデッキプレートの上面にコンクリートが自立型トラスに対して所定のかぶりを得るように打設される。
【特許文献１】特開２００７−２６２８５９号公報
【発明の開示】
【発明が解決しようとする課題】
【０００５】
上述のデッキプレートを用いたスラブの施工において、デッキプレートの上面にコンクリートが打設されるとき、デッキプレートそれ自体の重量を含めた全重量の荷重は、鉄筋ユニットに掛かり、この荷重は、鉄筋ユニットの両端部を介してデッキプレートの配力筋方向両端部を乗せている建造物の躯体構成部材により支持されている。しかし、デッキプレートの配力筋方向最端部に位置しているラチス筋の下側屈曲部（金属ベースの上面に溶接されている部分）が都合良くデッキプレートを架け渡す建造物の躯体構成部材上に存在している場合は良いが、デッキプレートを架け渡す建造物の躯体構成部材間の寸法によっては配力筋方向最端部に位置しているラチス筋の下側屈曲部が建造物の躯体構成部材上に存在しないこともあり、そのような場合には自立型トラスの端部に掛かる荷重が建造物の躯体構成部材に適正に伝達されず、スラブが所定の強度で支持されない、という問題を含めて、鉄筋ユニットにおける主鉄筋の跳ね上がり等の問題があった。
【０００６】
そのため、特許文献１に開示されたデッキプレートのように、鉄筋ユニット本体の端部に荷重支持部材を取り付けた鉄筋ユニットの使用が提案された。この荷重支持部材は、鉄筋ユニット本体を構成する２本の第２鉄筋に係止される締結金具と、同様に鉄筋ユニット本体を構成する第１鉄筋に上端が溶接されたＬ形の棒材とから構成されている。Ｌ形の棒材は、下端側が屈曲していて鉄筋ユニットが配置される金属ベースの上面に沿って端縁部から外側に突出する端部を備え、この下端部がデッキプレート設置時に建造物の躯体構成部材（例えば、Ｈ形鋼など）に載せられて溶接される。また、このＬ形の棒材は、締結金具にも溶接されている。このような鉄筋ユニットを用いたデッキプレートでは、鉄筋ユニットの第１鉄筋に掛かる荷重は直接Ｌ形の棒材に伝わって建造物の躯体構成部材に伝達され、また第２鉄筋に掛かる荷重は締結金具を介してＬ形の棒材に伝わって建造物の躯体構成部材に伝達される。
【０００７】
これにより、デッキプレートの上面にコンクリートが打設されるとき、金属ベース上のコンクリートの重量は鉄筋ユニット本体及び荷重支持部材を介して建造物の躯体構成部材により支持される。その結果、デッキプレートへのコンクリート打設時におけるコンクリートの全荷重が建造物の躯体構成部材で確実に支持されることから常に最良の品質を備えるスラブを提供することができるという効果を奏する、というものであった。
【０００８】
しかし、特許文献１に開示されたデッキプレートで使用している鉄筋ユニットでは、荷重支持部材が前述したようにＬ形の棒材と締結金具との２部品で構成されており、しかもその組み立て構造からこれらを鉄筋ユニット本体に溶接する際には各溶接箇所の溶接方向も異なっているため機械化することができなかった。そのため、従来では、作業者が締結金具とＬ形の棒材とを鉄筋ユニット本体に溶接していたが、どうしても作業時間が掛かり、更に、相当に熟練した作業者でないと溶接時に発生する溶融金属が周囲に飛散して金属ベースの上面を汚染し、見栄えの悪い商品となることが多いという問題があった。
【０００９】
本発明の目的は、デッキプレートを建造物の躯体構成部材間に架け渡した後にコンクリートを打設してスラブを構築するとき、打設コンクリートの重量を建造物の躯体構成部材に確実に伝達する荷重支持部材を備える鉄筋ユニットの組み立てに際し、自動溶接機などでの自動溶接が可能な鉄筋ユニットを備えるデッキプレートを提供することにある。
【課題を解決するための手段】
【００１０】
本発明は、所定の面積を有する金属ベースと、前記金属ベースの相対向する一対の端縁部間を延びる少なくとも一組の鉄筋ユニットとを備えるデッキプレートであり、その特徴とするところは、鉄筋ユニットが、鉄筋ユニット本体と、この鉄筋ユニット本体の端部に取り付けられ、金属ベースの端縁部が載置される建造物躯体若しくは形成型枠のいずれかに鉄筋ユニットに掛かる荷重を伝達する荷重支持部材とから構成され、前記鉄筋ユニット本体が、金属ベースの両端縁部間を延びる複数本の主鉄筋と、少なくともこれら主鉄筋の一部と金属ベースとに固着されたラチス筋とからなり、荷重支持部材が、一本の金属製棒材を山形に曲げて形成され、山形に曲げられた金属製棒材の屈曲部を上に向け、この屈曲部から金属ベースの上面に向かって延びる棒状部分が金属ベースの端縁部から見て左右に位置するように鉄筋ユニット本体に組み付けられると共に、荷重支持部材の屈曲部と棒状部分とで接触する鉄筋ユニット本体における各主鉄筋との接触部が溶接され、山形をした荷重支持部材の各下端が、金属ベースの上面に沿って端縁部から外方へ突出するように屈曲して建造物躯体若しくは形成型枠のいずれかに載せられる支え部を形成している。
【００１１】
本発明のデッキプレートにおける実施形態の一例としては、複数の主鉄筋が、金属ベースの上面から上方へ離間して両縁端部間を延びる１本の第１鉄筋と２本の第２鉄筋とから構成され、これら三本の第１鉄筋及び第２鉄筋が金属ベースの端縁部から見たとき、仮想の三角形の頂点に位置するように、２本の第２鉄筋が第１鉄筋の両側方で第１鉄筋より下方にかつ第１鉄筋に沿って配置され、ラチス筋が、第１鉄筋の両側部で第１鉄筋に沿って配置され、第１鉄筋、第２鉄筋及び金属ベースに固着され、山形に形成された荷重支持部材が、屈曲部内に第１鉄筋を通すように配置されて該第１鉄筋の周面に外接し、屈曲部と支え部との間の棒状部分がそれぞれ第２鉄筋に外接し、これら第１鉄筋及び第２鉄筋との接触部が溶接されている。
【００１２】
本発明のデッキプレートにおける実施形態の他の例としては、鉄筋ユニット本体に溶接された荷重支持部材が係止部を備え、該係止部が、少なくとも一つの支え部の端部から金属ベースの上面にほぼ垂直な下方向に屈曲して形成され、金属ベースの端縁部が建造物躯体形成型枠に載せられてデッキプレートが設置されるとき、荷重支持部の係止部が建造物躯体形成型枠の内面側に掛けられてデッキプレートの脱落が防止される。
【発明の効果】
【００１３】
本発明のデッキプレートによれば、荷重支持部材は一本の金属製棒材を山形に曲げて形成された一部品であり、この荷重支持部材が、その屈曲部を上に向けて鉄筋ユニット本体の端部に組み付けられ、他方、鉄筋ユニット本体は、山形をした荷重支持部材の内側部に複数の主鉄筋が通るように構成され、鉄筋ユニット本体の各主鉄筋と荷重支持部材とにおける接触部が溶接される。その結果、鉄筋ユニット本体の各主鉄筋と荷重支持部材との接触部では、スポット溶接する際の電極の配置方向がすべて同じ方向になることから、自動溶接機などでの溶接が可能となる。このことから鉄筋ユニット本体への荷重支持部材の固着が、従来のものに比べて格段に速く、しかも周囲への溶融金属の飛び散りもないため商品としての見栄えを損なうことがないなど、高い生産性と品質の向上を図ることができる。
【００１４】
また、本発明のデッキプレートによれば、第１鉄筋と、第２鉄筋と、ラチス筋とで構成された従来の鉄筋ユニット本体をそのまま金属ベースに溶接し、この鉄筋ユニット本体に、一本の金属製棒材を山形に曲げた荷重支持部材を取り付けてデッキプレートとすることができるので、鉄筋ユニット本体の構成を変える必要がなく、そのため製造コストの上昇を抑えることもできる。すなわち、一本の金属製棒材を山形に曲げて形成された荷重支持部材は、その屈曲部の内側に第１鉄筋が位置するように鉄筋ユニット本体の上方から被せるように装着するだけで各主鉄筋を荷重支持部材の内側に内接させることができる。その結果、溶接時に荷重支持部材を鉄筋ユニット本体に仮置きするにも容易であり、自動溶接を行う前の準備作業を容易にすることができる。
【００１５】
さらに、本発明のデッキプレートによれば、荷重支持部材を構成する山形に曲げられた金属製棒材の一端部に形成されている支え部の末端部を更に屈曲させて係止部を形成することにより、金属ベースの端縁部を建造物躯体形成型枠に載せてデッキプレートを設置する際、一本の金属製棒材からなる荷重支持部材により建造物躯体形成型枠からのデッキプレートの脱落防止を容易に図ることができる。
【発明を実施するための最良の形態】
【００１６】
以下、本発明のデッキプレートを図に示される実施形態について更に詳細に説明する。図１は、本発明の一実施形態に係るデッキプレート１０Ａを概略的に示す斜視図、図２は、図１のデッキプレート１０Ａを側方から見た側面図、図３は、鉄筋ユニットの端部を部分的に拡大して示すデッキプレート１０Ａの部分的な斜視図である。図１において、デッキプレート１０Ａの縦方向（配力筋方向）を矢印Ｙ、横方向を矢印Ｘで示す。また、図１〜図３に示されるデッキプレート１０Ａは、本発明を理解し易くするために配力筋方向長さを実際のものに比べて極端に短くして描かれている。
【００１７】
本発明の一実施形態に係るデッキボード１０Ａは、所定の面積を有する金属ベース１１の上面に２組の鉄筋ユニット１２を取り付けて構成されている。２組の鉄筋ユニット１２は、金属ベース１１の上面に並行に配列され、金属ベース１１の配力筋方向Ｙ、すなわち相対向する一対の端縁部１１ａ，１１ｂ間を延びている。各鉄筋ユニット１２は、鉄筋ユニット本体１３と、この鉄筋ユニット本体１３の両端部に取り付けられる荷重支持部材１４Ａとから構成されている。鉄筋ユニット本体１３は、１本の第１鉄筋（主鉄筋）１５と、一対（２本）の第２鉄筋（主鉄筋）１６と、一対（２本）のラチス筋１７とから組み立てられ、その詳細については後述する。
【００１８】
金属ベース１１は、ほぼフラットな上面１１ｃおよび下面１１ｄを有し、主に鉄板から作られ、その上下面１１ｃ，１１ｄにメッキ処理が施されている。この金属ベース１１の面積については任意に設計可能であり、構築するスラブの大きさによって自由に設定される。また、金属ベース１１を鉄以外の金属で作ることもできる。金属ベース１１において横方向Ｘに位置する一対の側部１１ｅ，１１ｆには、図１から明らかなように金属ベース１１の側縁部を上面１１ｃ側に折り曲げた第１係合部１８と、金属ベース１１の側縁部を下面１１ｄ側に折り曲げた第２係合部１９とが形成されている。複数のデッキプレート１０Ａは、それぞれの側部１１ｅ，１１ｆが隣接するように並列に配置され、隣接するデッキプレート１０Ａの第１係合部１８と第２係合部１９とを引っ掛けることで、互いに連結される。
【００１９】
金属ベース１１には、その上面１１ｃから上方へ突出する複数条の突条部２０が形成されている。突条部２０は、第１鉄筋１５の横方向両側に位置し、金属ベース１１上を配力筋方向へ延びている。突条部２０は、金属ベース１１の一部分をその上面１１ｃから上方へ向かって山折りし、山折りした部分において金属ベース１１の下面１１ｄどうしを密着させて形成されている。突条部２０は、上下面１１ｃ，１１ｄに直交する上下方向へ所定の高さ寸法を有し、金属ベース１１の上面１１ｃから見た形状がほぼ線状を呈し、かつその側面形状が帯状を呈している。突条部２０の上下方向の高さ寸法に特に限定はないが、高さ寸法の好ましい範囲は５〜１０ｍｍである。
【００２０】
鉄筋ユニット本体１３を構成している第１鉄筋１５は、金属ベース１１の上面１１ｃから上方へ所定寸法離間して配力筋方向Ｙへ直線的に延びている。また、第２鉄筋１６は第１鉄筋１５の下方かつ第１鉄筋１５の横方向両側に位置し、かつ金属ベース１１の上面１１ｃから上方へ所定寸法離間して配力筋方向Ｙへ直線的に延びている。すなわち、１本の第１鉄筋１５と２本の第２鉄筋１６とは、相互に間隔をあけて並行に、かつこれら第１鉄筋１５と第２鉄筋１６とを端部側（配力筋方向）から見たとき仮想の三角形の各頂点に位置するように配置されている。２本のラチス筋１７は、金属ベース１１と第１鉄筋１５との間に位置し、上下方向へ波状に屈曲を繰り返して配力筋方向Ｙへ延び、従って、上側屈曲部１７ａおよび下側屈曲部１７ｂと、上側および下側屈曲部１７ａ，１７ｂの間の中間直線部１７ｃとを形成している。
【００２１】
このような２本のラチス筋１７の各々は、第１鉄筋１５を挟んでその両側部に対称に配置され、かつ図１に示されるように上側屈曲部１７ａから下側屈曲部１７ｂに向かって配力筋方向へ末広がりを呈すると共に、金属ベース１１に対して所定角度で傾斜している。各ラチス筋１７の上側屈曲部１７ａは、第１鉄筋１５の横方向両側に当接した状態で、第１鉄筋１５にスポット溶接されている。下側屈曲部１７ｂは、金属ベース１１の上面１１ｃと並行するように、横方向外方へ折り曲げられている。下側屈曲部１７ｂは、突条部２０を越えて横方向外方へ張り出しており、従って下側屈曲部１７ｂは突条部２０と二点で交差している。下側屈曲部１７ｂのうちの突条部２０と交差する部分２１は、突条部２０にスポット溶接され、その結果としてラチス筋１７の一部が突条部２０に埋め込まれた状態で溶着されている。各ラチス筋１７の中間直線部１７ｃには第２鉄筋１６が接触し、ラチス筋１７の中間直線部１７ｃのうちの第２鉄筋１６と交差する部分が第２鉄筋１６にスポット溶接されている。
【００２２】
鉄筋ユニット本体１３を構成する第１鉄筋１５、第２鉄筋１６およびラチス筋１７それぞれの太さは特に限定されるものではなく、構築するスラブの大きさやスラブに必要な強度に合わせて自由に設定される。第１鉄筋１５、第２鉄筋１６、ラチス筋１７に用いられる金属は鉄が好ましいが、鉄以外の金属を使用することもできる。また、第１鉄筋１５、第２鉄筋１６、ラチス筋１７に鉄を用いる場合はメッキ等の防食処理を施すことも好ましい。ラチス筋１７において、単位長さ（ｍ）当たりの屈曲を繰り返す回数や、ラチス筋１７を配置する際の金属ベース１１に対する傾斜角度についても特に限定はなく自由に設定することができる。
【００２３】
このようなデッキプレート１０Ａは、スラブを構築するとき捨て型枠として使用されるが、その場合、鉄筋ユニット本体１３を上にした状態で、鉄骨造については建造物躯体である鉄骨躯体の横梁２２に金属ベース１１の両端縁部１１ａ，１１ｂが乗せられて架け渡される。この作業を「敷き込み」と称する。この敷き込み作業が終わると、金属ベース１１の上面１１ｃにコンクリートが打設される。金属ベース１１上に打設されたコンクリートの重量とデッキプレート１０それ自体の重量とのほぼ全荷重は、鉄筋ユニット本体１３に掛かることになる。すなわち、打設されたコンクリートを受ける金属ベース１１は、該金属ベース１１の突条部２０に各下側屈曲部１７ｂを溶接したラチス筋１７により吊り下げられていることになるので、打設コンクリートのほぼ全重量は、このラチス筋１７を介して鉄筋ユニット本体１３に掛かり、鉄筋ユニット本体１３に掛かる荷重は鉄骨造躯体の横梁２２で受けることとなる。そのため、鉄筋ユニット１２は、鉄筋ユニット本体１３に掛かる荷重を適切に横梁に伝達するための荷重支持部材１４Ａを備えている。
【００２４】
荷重支持部材１４Ａは、一本の金属製棒材２３を全体として山形形状に曲げて形成された一部品で構成されている。すなわち、この荷重支持部材１４Ａは、一本の金属製棒材２３のほぼ中間部を曲げて形成された屈曲部２３ａと、この屈曲部２３ａから両側に延びる棒状部分２３ｂと、これら棒状部分２３ｂの各端部から延長し、これら棒状部分２３ｂの間にできるほぼ三角形の空間領域面にほぼ直交する方向に屈曲した支え部２３ｃとから構成されている。
【００２５】
このように一本の金属製棒材２３を曲げて全体としてほぼ山形に形成された荷重支持部材１４Ａは、金属ベース１１の各端縁部１１ａ，１１ｂにおいて鉄筋ユニット本体１３に取り付けられる。具体的には、荷重支持部材１４Ａは、その屈曲部２３ａの内側に鉄筋ユニット本体１３の第１鉄筋１５が位置するように鉄筋ユニット本体１３の上方から被せるように装着される。つまり、図３から明らかなように、配力筋方向Ｙから見た鉄筋ユニット本体１３は、前述したように各頂点に主鉄筋１５，１６が配置された三角形状をしており、山形に曲げられた荷重支持部材１４Ａは、その屈曲部２３ａを上に向け、鉄筋ユニット本体１３を跨ぐように載せられる。これにより、鉄筋ユニット本体１３の第１鉄筋１５が荷重支持部材１４Ａの屈曲部２３ａの内側を通ることになるので、結局、荷重支持部材１４Ａは、第１鉄筋１５を跨いで着座した状態になる。更に、棒状部分２３ｂの端部から延長するように形成された支え部２３ｃは、金属ベース１１の上面１１ｃに載り、該上面１１ｃに沿って金属ベース１１の端縁部１１ａ，１１ｂから外側へ向かって延びている。
【００２６】
鉄筋ユニット本体１３の端部に組み付けられた荷重支持部材１４Ａは、屈曲部２３ａから鉄筋ユニット本体１３の両側に延びる棒状部分２３ｂがそれぞれ第２鉄筋１６に向かって押し付けられ、これにより金属製棒材２３の屈曲部２３ａが更に屈曲されるか、或いは棒状部分２３ｂが部分的に変形されることによって第２鉄筋１６に外接する。この押し付け作業は、専ら機械で行われる。その結果、荷重支持部材１４Ａは、鉄筋ユニット本体１３の第１鉄筋１５と、第２鉄筋（２本）１６とに外接し、その接触部の全ては山形に曲げられた金属製棒材２２の内側面となっている。次いで、これらの接触部が、自動溶接機でスポット溶接される。この荷重支持部材１４Ａを用いた場合、鉄筋ユニット本体１３の各主鉄筋１５，１６に自動溶接機を用いてスポット溶接できる理由は、荷重支持部材１４Ａである山形の金属製棒材２３がその内側面で鉄筋ユニット本体１３の各主鉄筋１５，１６と接触しているため、その接触部を溶接する場合、いずれの接触部でも自動溶接機における電極の向きが配力筋方向Ｙとなるからである。このようにして、荷重支持部材１４Ａは、鉄筋ユニット本体１３を跨いだ状態でそれに固定され、デッキプレート１０Ａが完成する。
【００２７】
かかるデッキプレート１０Ａは、前述したようにその両端部が、例えばＨ型鋼からなる横梁２２に乗せられて敷き込まれたとき、荷重支持部材１４Ａである山形形状をした金属製棒材２３の下端から金属ベース１１の端縁部１１ａ，１１ｂから外方へ延びている支え部２３ｃが、横梁２２に溶接される。このデッキプレート１０Ａによれば、それが横梁２２に架け渡されてコンクリートが打設されるとき、鉄筋ユニット本体１３に掛かる荷重は、第１鉄筋１５及び各第２鉄筋１６から荷重支持部材１４Ａの金属製棒材２３を介して金属ベース１１の端縁部１１ａ，１１ｂに伝達され、最終的に鉄骨躯体の横梁２２に及ぶので、鉄筋ユニット本体１３の両端部に掛かる荷重は、確実に横梁２２により支持される。
【００２８】
また、デッキプレート１０Ａにコンクリートが打設されたとき、コンクリートの荷重は、配力筋方向Ｙの中央部が最も大きく、この中央部から端部側へ向かって漸減する。かかる曲げモーメントによってデッキプレート１０Ａに撓みが起こると、デッキプレート１０Ａの両端部が横梁２２から離れるように上方向へ浮き上がろうとし、これに伴って第１鉄筋１５と第２鉄筋１６とにおけるそれぞれの端部が上方へ跳ね上がるように湾曲しようとする。しかし、鉄筋ユニット本体１３の端部に溶着された山形の金属製棒材２３における下端の支え部２２ｃが横梁２２に溶接されているので、それぞれの主鉄筋端部の跳ね上がりも阻止することができる。
【００２９】
このように、一本の金属製棒材２３を曲げて形成された荷重支持部材１４Ａを使用することで、荷重支持部材１４Ａの鉄筋ユニット本体１３への仮置きが容易となり、また荷重支持部材１４Ａと鉄筋ユニット本体１３を構成する各主鉄筋１５，１６との接触部をスポット溶接する際にすべての箇所で電極の向きが同じ方向となるため、スポット溶接を自動溶接機で行うことができ、その結果、溶接の作業時間を短縮できると共にその労力の軽減化を図ることができる。
【００３０】
図１〜図３に示された実施形態に係るデッキプレート１０Ａは、これをＳ造、即ち躯体が鉄骨で構成された構築物でのスラブを形成する場合を例としたが、躯体がＲＣ造（鉄筋コンクリート造）の場合には、図４に部分的に示されているようなデッキプレート１０Ｂが用いられる。このデッキプレート１０Ｂでは、金属ベース１１の上面１１ｃに取り付けられる鉄筋ユニット１２が、鉄筋ユニット本体１３と、その両端部を支持する荷重支持部材１４Ｂとから構成されている。この荷重支持部材１４Ｂは、これを構成する金属製棒材２３が、一方の支え部２３ｃから更に下方へ屈曲して延びる係止部２３ｄを備えている点で前述した荷重支持部材１４Ａと異なるだけである。そのため、図４では、図３と同様にデッキプレート１０Ｂの端部を部分的に示し、他の部分は省略している。
【００３１】
建造物がＲＣ造の場合、横梁の形成直前の状態は、横梁配筋部（図示せず）の両側にベニヤ板或いは合板などからなる型枠用パネルを立て横木で側圧を支持する構造となっているので、このデッキプレート１０Ｂでは、荷重支持部材１４Ｂの係止部２３ｄを型枠内側面に沿って垂下させるようにデッキプレート１０Ｂの端部を木製の型枠体２５上に乗せる。
【００３２】
この実施形態に係るデッキプレート１０Ｂによると、該デッキプレート１０Ｂにコンクリートを打設する時、鉄筋ユニット本体１３に掛かる荷重は、各主鉄筋１５，１６から金属製棒材２３を介して横梁形成型枠体２４により支持される。また、デッキプレート１０Ｂの両端において荷重支持部材１４Ｂを構成する金属製棒材２３の下端の支え部２３ｃから係止部２３ｄが型枠パネル内側面に沿ってほぼ垂直下方へ延びているため、デッキプレート１０Ｂの敷き込みに際してその両端部を木製の型枠体２４上に乗せるだけでデッキプレート１０Ｂの配力筋方向Ｙへの動きを防止することができる。したがって、デッキプレート１０Ｂの敷き込み後に確実な固定を図るために釘等を用いて金属ベース１１を型枠パネル又は横木に仮固定する時でもデッキプレート１０Ｂのずれが起こらず正確な位置に取り付けることができる。
【００３３】
前述した２つの実施形態に係るデッキプレート１０Ａ，１０Ｂでは、荷重支持部材１４Ａ，１４Ｂにおける屈曲部２３ａが円弧状に形成され、かかる形状の荷重支持部材１４Ａ，１４Ｂの場合、これを鉄筋ユニット本体１３の端部に組み付けるときには、前述したように山形に曲げた棒状部材２３を鉄筋ユニット本体１３の端部に跨がせるように上方から被せて組み付けるものであった。その結果、鉄筋ユニット本体１３の第１鉄筋１５は、屈曲部２３ａの内側を通るように配置され、この鉄筋ユニット本体１３の各主鉄筋との接触部がスポット溶接されるものであった。従って、デッキプレート１０Ａ，１０Ｂ上に打設したコンクリートにより荷重が掛かった鉄筋ユニット本体１３は、荷重支持部材１４Ａ，１４Ｂに吊り下がるようにして支持されることになる。
【００３４】
しかし、本発明のデッキプレートにおける荷重支持部材は、上述した形状に限定されるものではなく、例えば、図５に示されるような形状の荷重支持部材１４Ｃを備えるデッキプレート１０Ｃであってもよい。すなわち、この荷重支持部材１４Ｃは、全体として山形に形成するために曲げられた主たる屈曲部２３ａに、この屈曲部２３ａから棒状部分２３ｂの延長する下側に向かって陥没した窪み部分２３０ａが形成されたものであり、従って、この荷重支持部材１４Ｃは、頂部が窪んだ山形形状をしている。
【００３５】
かかる形状の荷重支持部材１４Ｃの場合、これを鉄筋ユニット本体１３の端部に組み付けるときには、全体として山形に曲げられた棒状部材２３を、その屈曲部２３ａを上にして第１鉄筋１５の下方側から差し入れるように配置し、窪み部分２３０ａの中に第１鉄筋１５を入れて乗せ、その後、第１鉄筋１５と窪み部分２３０ａとの接触部、及び棒状部分２３ｂと２本の第２鉄筋１６との各接触部をスポット溶接する。
【００３６】
このような荷重支持部材１４Ｃによると、鉄筋ユニット本体１３の第１鉄筋１５の端部が荷重支持部材１４Ｃの屈曲部２３ａにおける窪み部分２３０ａに乗っていることから、第１鉄筋１５と窪み部分２３０ａとの溶接の良否に拘わらず第１鉄筋１５に掛かる荷重は荷重支持部材１４Ｃで直接受け止められるので鉄筋ユニット本体１３に作用する荷重を高い安定度及び信頼度で支持することができる。
【００３７】
なお、図１〜図５に示される各実施形態に係るデッキプレート１０Ａ，１０Ｂ，１０Ｃでは、各荷重支持部材１４Ａ，１４Ｂ，１４Ｃにおいて屈曲部２３ａから両側に延びる棒状部分２３ｂが鉄筋ユニット本体１３の第２鉄筋１６に該鉄筋ユニット本体１３の外側で接触し、その接触部がスポット溶接されているが、棒状部分２３ｂを一対の第２鉄筋１６の内側に配置して該各第２鉄筋１６に接触させ、その接触部をスポット溶接してもよい。また、一実施形態であるデッキプレート１０Ａを示す図１では、２組の鉄筋ユニット１２が金属ベース１１上に並んでいるが、鉄筋ユニット１２の個数を２組に限定するものではなく、金属ベース１１上に３組以上の鉄筋ユニット１２が形成されていてもよい。
【図面の簡単な説明】
【００３８】
【図１】本発明の一実施形態に係るデッキプレートを示す斜視図である。
【図２】図１のデッキプレートを側方から見た側面図である。
【図３】デッキプレートの端部を部分的に拡大して鉄筋ユニットを斜視図である。
【図４】他の実施形態に係るデッキプレートにおける鉄筋ユニットの端部を拡大して示す図３と同様な斜視図である。
【図５】他の実施形態に係るデッキプレートにおける鉄筋ユニットの端部を拡大して示す図３と同様な斜視図である。
【符号の説明】
【００３９】
１０Ａ，１０Ｂ，１０Ｃ    デッキプレート
１１    金属ベース
１１ａ，１１ｂ    端縁部
１１ｃ    上面
１２    鉄筋ユニット
１３    鉄筋ユニット本体
１４Ａ，１４Ｂ，１４Ｃ    荷重支持部材
１５    第１鉄筋（主鉄筋）
１６    第２鉄筋（主鉄筋）
１７    ラチス筋
１７ａ    上側屈曲部
１７ｂ    下側屈曲部
２０    突条部
２２    横梁（建造物躯体）
２３    金属製棒材
２３ａ    屈曲部
２３ｂ    棒状部分
２３ｃ    支え部
２３ｄ    係止部
２４    型枠体（建造物躯体形成型枠）
【図１】
2009108657.tif 000003
【図２】
2009108657.tif 000004
【図３】
2009108657.tif 000005
【図４】
2009108657.tif 000006
【図５】
2009108657.tif 000007